(57)【特許請求の範囲】
【請求項１】
見守り対象者が着用する衣服に装着され、当該見守り対象者の体表温度に関する情報を随時検知可能な検知部と、
前記見守り対象者の状態を表示可能な表示部と、
前記検知部が前記見守り対象者が着用する衣服に装着され、体表温度が平衡状態となった時点を基準時点とし、前記検知部により検知された体表温度に関する情報から前記基準時点における体表温度を基準値とし、当該基準時点以降において前記検知部により検知された最新の体表温度との差分を算出し、当該差分に応じた表示を前記見守り対象者の状態として表示部に随時表示させる演算処理部と、
を備える見守りシステム。
【請求項２】
前記演算処理部は、前記基準値のリセット操作を受け付けると、改めて体表温度が平衡状態となった時点を基準時点とする請求項１に記載の見守りシステム。
【請求項３】
前記演算処理部は、前記差分に応じた表示として、前記差分が所定の温度範囲である場合には温度維持傾向を示す表示を、前記差分が所定の範囲を上回った場合には温度上昇傾向を示す表示を、前記差分が所定の範囲を下回った場合には温度低下傾向を示す表示を、前記表示部に表示させる請求項１又は２に記載の見守りシステム。
【請求項４】
前記表示部は、前記差分に応じた表示を矢印で表現する、請求項１から３のいずれか一項に記載の見守りシステム。
【請求項５】
前記演算処理部は、前記差分が、所定の温度範囲外の所定の閾値を上回った場合には、アラート表示を前記表示部に表示させる、請求項３又は４に記載の見守りシステム。
【請求項６】
前記検知部は、前記見守り対象者の姿勢に関する情報を検知可能であり、
前記演算処理部は、前記姿勢に関する情報から前記見守り対象者の姿勢状態を前記見守り対象者の状態として表示部に表示させる、請求項１から５のいずれか一項に記載の見守りシステム。
【請求項７】
前記演算処理部は、前記見守り対象者の姿勢状態がうつ伏せ寝状態となった場合にアラート表示を前記表示部に表示させ、うつぶせ寝状態から正常な姿勢に変更されたとき、アラート表示を解除し、姿勢が変更された旨の姿勢修正表示を前記表示部に表示する請求項６に記載の見守りシステム。
【請求項８】
前記検知部は、前記見守り対象者の心拍数に関する情報を検知可能であり、
前記演算処理部は、前記心拍数に関する情報から前記見守り対象者の心拍数状態を前記見守り対象者の状態として表示部に表示させる、請求項１から７のいずれか一項に記載の見守りシステム。
【請求項９】
前記演算処理部は、前記見守り対象者の心拍数状態が異常状態となった場合にアラート表示を前記表示部に表示させる請求項８に記載の見守りシステム。
【請求項１０】
前記演算処理部は、前記検知部にて検知した情報を、前記見守り対象者の関係者が保有する情報端末に配信可能である請求項１から９のいずれか一項に記載の見守りシステム。
【請求項１１】
見守り対象者が着用する衣服に装着され、当該見守り対象者の体表温度に関する情報を随時検知可能な検知部からの情報を取得する検知情報取得部と、
前記見守り対象者の状態を表示可能な表示部と、
前記検知部が前記見守り対象者が着用する衣服に装着され、体表温度が平衡状態となった時点を基準時点とし、前記検知情報取得部にて取得した前記検知部により検知された体表温度に関する情報から前記基準時点における体表温度を基準値とし、当該基準時点以降において前記検知部により検知された最新の体表温度との差分を算出し、当該差分に応じた表示を前記見守り対象者の状態として表示部に随時表示させる演算処理部と、
を備える見守り装置。
【請求項１２】
見守り対象者が着用する衣服に装着され、当該見守り対象者の体表温度に関する情報を随時検知可能な検知部からの情報を取得する検知情報取得ステップと、
前記検知部が前記見守り対象者が着用する衣服に装着され、体表温度が平衡状態となった時点を基準時点とし、前記検知情報取得ステップにて取得した前記検知部により検知された体表温度に関する情報から前記基準時点における体表温度を基準値とする基準値設定ステップと、
前記基準時点以降において前記検知部により検知された最新の体表温度との差分を算出する差分算出ステップと、
前記差分に応じた表示を前記見守り対象者の状態として表示部に随時表示させる表示ステップと、
を備える見守り方法。
【請求項１３】
見守り対象者が着用する衣服に装着され、当該見守り対象者の体表温度に関する情報を随時検知可能な検知部からの情報を取得する検知情報取得ステップと、
前記検知部が前記見守り対象者が着用する衣服に装着され、体表温度が平衡状態となった時点を基準時点とし、前記検知情報取得ステップにて取得した前記検知部により検知された体表温度に関する情報から前記基準時点における体表温度を基準値とする基準値設定ステップと、
前記基準時点以降において前記検知部により検知された最新の体表温度との差分を算出する差分算出ステップと、
前記差分に応じた表示を前記見守り対象者の状態として表示部に随時表示させる表示ステップと、
をコンピュータに実行させる見守りプログラム。
【発明の詳細な説明】
【技術分野】
【０００１】
本発明は見守りシステムに係り、詳しくは個人差等の影響を受けにくく保育者が見守り対象者の体温の変動傾向を把握しやすい見守りシステム、見守り装置、見守り方法、見守りプログラムに関する。
【背景技術】
【０００２】
保育園や幼稚園等の乳幼児や未就学児（以下、未就学児等という）が集団で生活する場所では、乳幼児の免疫力が構築途上であるため、風邪等での発熱が頻繁にみられるほか、インフルエンザやウィルス性胃腸炎などの（集団）感染を起こしやすい。したがって保育者は未就学児等の体調変化を早期に発見するために、保育中１日数回の定期的な体温計測に加え、未就学児等の様子を見て必要がある場合に随時体温計測を行う必要がある。
【０００３】
また、うつ伏せ寝等による突然死（ＳＩＤＳ）の予防のため、国や地方自治体のガイドラインに従い０歳児は午睡中に少なくとも５分おきに状態を確認することとなっている。この作業は通常は紙のチェックシートに記入を行い、その記録は保存が義務付けられている。
【０００４】
近年の保育需要の高まりと保育士不足により、こうした未就学児等の体調や午睡状態のモニタリングが保育者の業務に占める割合が増え負担が大きくなっているという課題がある。
【０００５】
これに対して、児童（乳幼児）をカメラで撮像した撮像データを画像処理することで、児童を識別し、識別した児童の呼吸、脈拍、体動、体温等の生体情報を計測して、生体情報の異常を検知した場合に通知を行う技術が開示されている（特許文献１参照）。
【先行技術文献】
【特許文献】
【０００６】
【特許文献１】特開２０１９−１５２９１４号公報
【発明の概要】
【発明が解決しようとする課題】
【０００７】
しかしながら、健康なこどもの正常体温は、わき下測定の場合で３６．４℃から３７．４℃と１℃近い幅があることや、個人差、季節変動、環境変動、一日の体内時計による周期変動の影響があり、特許文献１に記載されているような、一律な閾値を発熱とみなして報知を行う場合には、不要に注意を促し保育者の負担が余計に増えるおそれがある。
【０００８】
また、体温は、こどもの健康状態の指標として代表的なものであるが、体温を計測（検温）するにはこどものわき下や耳に計測器（いわゆる体温計）を一定時間設置する必要があり、手間と時間がかかるという問題がある。
【０００９】
本発明はこのような問題点を解決するためになされたもので、その目的とするところは、個人差等の影響を受けにくく、容易に見守り者が見守り対象者の状態変化を把握できる見守りシステム、見守り装置、見守り方法、見守りプログラムを提供することにある。
【課題を解決するための手段】
【００１０】
上記した目的を達成するために、本発明に係る見守りシステムは、見守り対象者が着用する衣服に装着され、当該見守り対象者の体表温度に関する情報を随時検知可能な検知部と、前記見守り対象者の状態を表示可能な表示部と、前記検知部が前記見守り対象者が着用する衣服に装着され、体表温度が平衡状態となった時点を基準時点とし、前記検知部により検知された体表温度に関する情報から前記基準時点における体表温度を基準値とし、当該基準時点以降において前記検知部により検知された最新の体表温度との差分を算出し、当該差分に応じた表示を前記見守り対象者の状態として表示部に随時表示させる演算処理部と、
を備える。
【００１１】
上記見守りシステムにおいて、前記演算処理部は、前記基準値のリセット操作を受け付けると、改めて体表温度が平衡状態となった時点を基準時点としてもよい。
【００１２】
上記見守りシステムにおいて、前記演算処理部は、前記差分に応じた表示として、前記差分が所定の温度範囲である場合には温度維持傾向を示す表示を、前記差分が所定の範囲を上回った場合には温度上昇傾向を示す表示を、前記差分が所定の範囲を下回った場合には温度低下傾向を示す表示を、前記表示部に表示させてもよい。
【００１３】
上記見守りシステムにおいて、前記表示部は、前記差分に応じた表示を矢印で表現してもよい。
【００１４】
上記見守りシステムにおいて、前記演算処理部は、前記差分が、所定の温度範囲外の所定の閾値を上回った場合には、アラート表示を前記表示部に表示させてもよい。
【００１５】
上記見守りシステムにおいて、前記検知部は、前記見守り対象者の姿勢に関する情報を検知可能であり、前記演算処理部は、前記姿勢に関する情報から前記見守り対象者の姿勢状態を前記見守り対象者の状態として表示部に表示させてもよい。
【００１６】
前記演算処理部は、前記見守り対象者の姿勢状態がうつ伏せ寝状態となった場合にアラート表示を前記表示部に表示させ、うつぶせ寝状態から正常な姿勢に変更されたとき、アラート表示を解除し、姿勢が変更された旨の姿勢修正表示を前記表示部に表示してもよい。
【００１７】
上記見守りシステムにおいて、前記検知部は、前記見守り対象者の心拍数に関する情報を検知可能であり、前記演算処理部は、前記姿勢に関する情報から前記見守り対象者の姿勢状態を前記見守り対象者の状態として表示部に表示させてもよい。
【００１８】
上記見守りシステムにおいて、前記演算処理部は、前記見守り対象者の心拍数状態が異常状態となった場合にアラート表示を前記表示部に表示させてもよい。
【００１９】
上記見守りシステムにおいて、前記演算処理部は、前記検知部にて検知した情報を、前記見守り対象者の関係者が保有する情報端末に配信可能でもよい。
【００２０】
上記した目的を達成するために、本発明に係る見守り装置は、見守り対象者が着用する衣服に装着され、当該見守り対象者の体表温度に関する情報を随時検知可能な検知部からの情報を取得する検知情報取得部と、前記見守り対象者の状態を表示可能な表示部と、前記検知部が前記見守り対象者が着用する衣服に装着され、体表温度が平衡状態となった時点を基準時点とし、前記検知情報取得部にて取得した前記検知部により検知された体表温度に関する情報から所定の前記基準時点における体表温度を基準値とし、当該基準時点以降において前記検知部により検知された最新の体表温度との差分を算出し、当該差分に応じた表示を前記見守り対象者の状態として表示部に随時表示させる演算処理部と、を備える。
【００２１】
上記した目的を達成するために、、本発明に係る見守り装置は、見守り対象者が着用する衣服に装着され、当該見守り対象者の体表温度に関する情報を随時検知可能な検知部からの情報を取得する検知情報取得ステップと、前記検知部が前記見守り対象者が着用する衣服に装着され、体表温度が平衡状態となった時点を基準時点とし、前記検知情報取得ステップにて取得した前記検知部により検知された体表温度に関する情報から所定の前記基準時点における体表温度を基準値とする基準値設定ステップと、前記基準時点以降において前記検知部により検知された最新の体表温度との差分を算出する差分算出ステップと、前記差分に応じた表示を前記見守り対象者の状態として表示部に随時表示させる表示ステップと、を備える。
【００２２】
上記した目的を達成するために、本発明に係る見守りプログラムは、見守り対象者が着用する衣服に装着され、当該見守り対象者の体表温度に関する情報を随時検知可能な検知部からの情報を取得する検知情報取得ステップと、前記検知部が前記見守り対象者が着用する衣服に装着され、体表温度が平衡状態となった時点を基準時点とし、前記検知情報取得ステップにて取得した前記検知部により検知された体表温度に関する情報から所定の前記基準時点における体表温度を基準値とする基準値設定ステップと、前記基準時点以降において前記検知部により検知された最新の体表温度との差分を算出する差分算出ステップと、前記差分に応じた表示を前記見守り対象者の状態として表示部に随時表示させる表示ステップと、をコンピュータに実行させる。
【発明の効果】
【００２３】
上記手段を用いる本発明によれば、個人差等の影響を受けにくく、容易に見守り者が見守り対象者の状態変化を把握できる。
【図面の簡単な説明】
【００２４】
【図１】本発明の一実施形態における見守りシステムの概略構成図である。
【図２】本実施形態における見守りシステムのブロック図である。
【図３】本実施形態における見守りシステムの体表温度情報の制御に関するフローチャートである。
【図４】見守り対象者モニタリング時のタブレット端末の表示部の表示例である。
【図５】アラート時のタブレット端末の表示部の表示例である。
【発明を実施するための形態】
【００２５】
以下、本発明を具体化した見守りシステムの一実施形態について説明する。
【００２６】
本発明の実施形態について図面を参照しながら説明する。図１に示される本発明の一実施形態に係る見守りシステム１０は、見守り対象者Ａの衣服１３等に取り付けられるセンサユニット２０（検知部）、見守り者Ｂが携帯するタブレット端末３０（見守り装置）、およびサーバ４０から構成される。
【００２７】
本実施形態では、見守りシステム１０を保育園に適用しており、見守り対象者Ａは未就学児であり、見守り者Ｂは保育士である。説明の便宜上、図１では、見守り対象者Ａ及び見守り者Ｂは１人のみ記載されているが、図示しない複数の見守り対象者Ａ及び複数の見守り者Ｂが存在するものとして、以下説明する。
【００２８】
センサユニット２０は、見守り対象者Ａが着用する衣服１３に装着されて、見守り対象者Ａの健康状態に関する情報を検知する機能を有する。
【００２９】
センサユニット２０は厚みの小さい直方体形状で、見守り対象者Ａに装着したときに体表側にくる面が裏面となる。センサユニット２０は、表面に電源状態表示灯、通信状態表示灯、および充電状態表示灯を、裏面に電源ボタン、電源状態表示灯、およびスナップボタンを、一側面に入出力端子を、それぞれ備える。また、センサユニット２０は内部にバッテリを備えている。さらにセンサユニット２０は、見守り対象者Ａの衣服１３に装着しても、見守り対象者Ａの邪魔や負担にならない程度の大きさおよび重量となっている。
【００３０】
センサユニット２０のスナップボタンに対応して、衣服１３にもスナップボタンが設けられている。つまり、センサユニット２０のスナップボタンと衣服１３にもスナップボタンは一方が凸部を有し、もう一方が凹部を有することで係合可能である。またこれらのスナップボタンは高い導電性および伝熱性を有することが好ましく、例えば金属で形成される。それにより後述する温度センサ２１および心拍数計測センサ２３の計測端子とすることができる。
【００３１】
また、図２に示すように、センサユニット２０は温度センサ２１を備え、見守り対象者Ａの体表温度に関する情報を検知可能である。さらに、センサユニット２０は、加速度センサ２２、および心拍数計測センサ２３を備えており、見守り対象者Ａの体の姿勢および心拍数に関する情報を検知可能である。なお、加速度センサ２２はジャイロセンサで代用してもよい。
【００３２】
さらに、センサユニット２０は通信部２４を備え、例えばＢｌｕｅｔｏｏｔｈ（登録商標）やＷｉ−Ｆｉ等の無線通信を介してセンサユニット２０の各種センサからの検知情報やセンサユニット２０自身の状態情報等をタブレット端末３０と送受信する機能を有する。具体的には、センサユニット２０は、１秒から数秒程度の所定の間隔でタブレット端末３０にデータを送信する。なお、センサユニット２０には前述のように入出力端子が備わっており、当該入出力端子にＵＳＢケーブル等を接続して有線通信やバッテリ充電も可能である。
【００３３】
また、センサユニット２０は、１台ごとに固有の識別子が与えられており、１人の見守り対象者Ａに対して１台紐付けられている。この見守り対象者Ａとセンサユニット２０との紐付けは、タブレット端末３０で編集可能である。また、センサユニット２０が検知した見守り対象者Ａの体表温度に関する情報や、姿勢に関する情報、および心拍数に関する情報は、当該識別子を含んだデータとしてタブレット端末３０に送信される。このようにすることで、タブレット端末３０やサーバ４０において、見守り対象者Ａごとに情報を管理または制御可能となる。
【００３４】
なお、センサユニット２０は、記憶部２５を備えている。これにより、通信状態の悪化でセンサユニット２０とタブレット端末３０との通信が遮断または中断したり、データ同士の衝突が発生したりして、センサユニット２０が検知した情報をタブレット端末３０に送信できない場合でも、内部の記憶部２５に検知した各情報を蓄積しておくことで、通信状態が回復してから再度情報を送信することができ、情報の欠損等を回避することができる。
【００３５】
センサユニット２０が装着される衣服１３は、見守り対象者Ａの肌着又は肌着の上に着用する衣服である。具体的には、衣服１３には、スナップボタンを備えセンサユニット２０を収容可能なホルダ部が形成されており、当該スナップボタンにセンサユニット２０のスナップボタンが係合することでセンサユニット２０が衣服１３に装着される。衣服１３のホルダ部の体表面側の布には導電性繊維が使用されており、センサユニット２０が直接見守り対象者Ａの体表に触れていなくても体表における電位が検知できるよう構成され、当該導電性繊維を介しても見守り対象者Ａの体表温度を検知可能である。
【００３６】
次に、図２を参照しながら、タブレット端末３０について説明する。
【００３７】
タブレット端末３０は、見守り者Ｂが、見守り対象者Ａの状態を把握したり必要なチェックを行ったりする際の記憶を行うために使用するもので、一般に市販されているものでよい。見守り者Ｂが携帯できる大きさや重量であることが好ましく、さらに視認性や操作性からも、ノート程度の大きさが好ましいが、スマートフォン等のさらに小型のものでもよいし、パーソナルコンピュータ（ＰＣ）等のように大型で携帯できないものであってもよい。
【００３８】
本実施形態に係るタブレット端末３０は、具体的には、センサユニット２０またはサーバ４０から取得した情報を記憶する記憶部３１、それらの情報を演算処理する演算処理部３２、各種情報を表示可能な表示部３３、音情報の発生または取得を行う音声入出力部３６、入力操作を受け付ける入力部３４、センサユニット２０やサーバ４０、プリンタ６０等の外部機器と通信する通信部３５を備える。表示部３３及び入力部３４はいわゆるタッチスクリーンとして一体をなしていてもよい。本実施形態に係る見守りシステム１０の一部の機能はプログラム（アプリ）としてタブレット端末３０にインストールされ、演算処理部３２で実行される。
【００３９】
タブレット端末３０の記憶部３１は、タブレット端末３０に内蔵されるメモリ等で実装され、センサユニット２０の温度センサ２１、加速度センサ２２、心拍数計測センサ２３で検知される各情報を記憶する機能を有する。
【００４０】
また、タブレット端末３０の演算処理部３２は、タブレット端末３０に内蔵されるＣＰＵ等で実装され、見守り対象者Ａの体表温度に関する情報等に基づいて見守り対象者Ａの体表温度を算出する。
【００４１】
詳しくは、演算処理部３２は、センサユニット２０が電源オンの状態で見守り対象者Ａが着用している衣服１３に装着された直後を基準時点とし、当該基準時点における体表温度を基準値Ｔｓとして設定する。より具体的には、電源オン後に見守り対象者Ａの体表温度が検知され、当該体表温度が一定時間平衡状態となった時点を基準時点として、この平衡状態にある体表温度が基準値Ｔｓとなる。なお、この基準時点はこの時点に限られるものではなく、例えばタブレット端末３０により基準値Ｔｓのリセット操作を行うことで、改めて体表温度が一定時間平衡状態となった時点を基準時点として、この平衡状態にある体表温度を基準値Ｔｓとし直してもよい。
【００４２】
さらに、タブレット端末３０の演算処理部３２は、当該基準値Ｔｓと基準時点以降に随時検知される体表温度Ｔｎとに基づいて見守り対象者Ａの状態を表示部３３に表示させる。具体的には以下の手順で表示する内容を決定する。
【００４３】
まず、基準値Ｔｓと最新の体表温度Ｔｎとの差分ΔＴを次の式１により計算して求める。
ΔＴ＝Ｔｎ−Ｔｓ・・・式１
【００４４】
次に、差分ΔＴと予め定められた閾値との比較を行う。本実施形態では閾値として第１の閾値Ｔ１（例えば0.2℃）、第２の閾値Ｔ２（例えば−0.2℃）、第３の閾値Ｔ３（例えば1.0℃）が設定されており、Ｔ２（負の値）＜Ｔ１（正の値）＜Ｔ３（正の値）の関係にある。
【００４５】
具体的には、差分ΔＴが第１の閾値Ｔ１より大きい、すなわちＴ１＜ΔＴの場合には体表温度の傾向を基準値Ｔｓに比べて「上昇」と判断し、タブレット端末３０の表示部３３における体表温度の項目において上矢印「↑」を表示する。
【００４６】
また、差分ΔＴが第２の閾値Ｔ２以上かつ第１の閾値Ｔ１以下であるとき、すなわちＴ２≦ΔＴ≦Ｔ１の場合には、体表温度の傾向は基準値Ｔｓと比較して「維持」であると判断し、表示部３３において右矢印「→」を表示する。
【００４７】
さらに、差分ΔＴが第２の閾値Ｔ２より小さいとき、すなわちΔＴ＜Ｔ２の場合には、体表温度の傾向が基準値Ｔｓと比較して「低下」と判断し、表示部３３において下矢印「↓」を表示する。
【００４８】
さらに、差分ΔＴが第１の閾値Ｔ１より大きい場合であって、さらに第３の閾値Ｔ３より大きい、すなわちＴ３＜ΔＴの場合には、異常な温度上昇があったと判定し、タブレット端末３０の表示部３３において見守り対象者Ａの体調に異常があることを報知するアラート表示を表示する。この異常の報知は、表示部３３における異常表示だけでなく、音声入出力部３６における音による報知も可能である。
【００４９】
さらに演算処理部３２は、センサユニット２０（加速度センサ２２、心拍数計測センサ２３）が検知した情報から、見守り対象者Ａの姿勢および心拍数を算出し表示部３３に表示させる。また演算処理部３２は、体表温度、姿勢、心拍数の情報を用いてストレス状態を算出し、表示部３３に表示してもよい。それらの少なくとも１つから見守り対象者Ａの状態を判定し、当該判定結果が正常の範囲を超えた場合には、タブレット端末３０の表示部３３でその異常を示す表示をしてもよい。
【００５０】
具体的には、演算処理部３２は、姿勢のモニタリングとして、見守り対象者Ａの姿勢がうつぶせ寝状態と判定した場合にアラート表示を行うことで保育者Ｂに注意を促す。さらに保育者Ｂが見守り対象者Ａをうつぶせ寝の姿勢から正常な姿勢に変更し、加速度センサ２２により当該姿勢の変更があったこと検知したとき、アラート表示を解除し姿勢が変更された旨の姿勢修正表示（記号等）を表示部３３に自動的に表示する。また、演算処理部３２は、うつ伏せ寝の記録を残しておくために、当該姿勢修正表示時点を含む前後所定時間内における当該見守り対象者Ａの姿勢の状態に関する表示履歴を記憶部３１に記憶する。
【００５１】
また、演算処理部３２は、心拍数のモニタリングとして、心拍数計測センサ２３により検知された心拍数から、見守り対象者Ａごとに統計分析を行い個人の標準モデルを算出し、当該標準モデルからの異常値の推移を監視した結果、所定の閾値を超えた場合に、アラート表示を行う。この統計分析による個人の標準モデルは、例えば心拍数の平均値、標準偏差、心拍に係るＬＦ値とＨＦ値、等が用いられる。
【００５２】
さらに演算処理部３２は、センサユニット２０の識別子を用いて見守り対象者Ａごとに上述した体表温度、姿勢、心拍数等の情報管理を行うことができる。さらに、見守り対象者Ａと紐付けられた識別子を、例えば所属する集団名や見守り者Ｂ等で定義される所定のグループに割り当ててグループ単位で情報管理を行ったり、表示部３３に表示したりしてもよい。
【００５３】
さらに演算処理部３２は、見守り対象者Ａの活動状態を示す活動ステータスに関して複数のモードを備え、モードごとに表示部３３における表示項目や表示内容の切り替え可能である。具体的には、見守り対象者Ａの活動ステータスとして、午睡、着替え、プール、外遊び、モニタリング中、降園等のモードに分類する。例えば演算処理部３２は、見守り対象者Ａの活動ステータスがモニタリング中モードの場合には、姿勢の表示は行わないようにしたり、見守り対象者Ａの活動ステータスが午睡中モードの場合には姿勢情報を表示したりするといった管理が可能である。
【００５４】
さらに演算処理部３２は、定期検温や午睡中の状態等の記憶が必要な項目について所定の時刻を過ぎても未入力である場合に、報知を行う機能を有してもよい。なお、定期検温は、センサユニット２０による体表温度の計測とは異なり、体温計による体温測定であり、タブレット端末３０にて具体的な数値を入力する。
【００５５】
さらに演算処理部３２は、タブレット端末３０の記憶部３１に記憶されている情報またはサーバ４０に記憶されている情報を所定の様式で図１のプリンタ６０に出力することも可能である。
【００５６】
さらにタブレット端末３０の表示部３３は、見守り対象者Ａの体表温度に基づいて見守り対象者Ａの状態を上述した矢印表示等の記号や、文字、絵柄、アニメーション、色彩等を用いて表示させる機能を有する。
【００５７】
次に、図２に示すサーバ４０について説明する。
【００５８】
サーバ４０はデータベース４１、演算処理部４２、通信部４３を備え、見守りシステム１０のセンサユニット２０で検知された見守り対象者Ａの体表温度に関する情報や姿勢情報、心拍数に関する情報をタブレット端末３０を介して取得し、それらを一括管理および統計処理や高度かつ複雑な解析演算等を行う機能を有する。サーバ４０はセンサユニット２０やタブレット端末３０と通信可能な同じ施設内に設けられてもよいし、施設外部やクラウドに設置してインターネット等を経由して通信を行ってもよい。
【００５９】
また、サーバ４０は、データベース４１に見守り対象者Ａの氏名、住所、保護者名、保護者連絡先、所属保育園名、等の個人情報も記憶されている。そして、サーバ４０の演算処理部４２は、データベース４１に記憶されている見守り対象者Ａの体表温度、姿勢情報、心拍数等のデータについて通信部４３を介して見守り対象者Ａの保護者が保有する情報端末に配信も可能である。さらにこの保護者へのデータ配信に際して、見守り対象者Ａの属する保育園から、保護者への連絡事項等、見守り対象者Ａごと、クラスごとに任意に入力登録された情報等についても、同時に配信することも可能である。
【００６０】
図３には、タブレット端末３０により実行される見守り対象者Ａの体表温度のモニタリングルーチンを示すフローチャートが示されており、以下同フローチャートに沿って説明する。なお、当該ルーチンは、センサユニット２０が見守り対象者Ａに装着され電源がオンにあり、タブレット端末３０との通信接続が確立している状態でスタートする。
【００６１】
まず、ステップＳ１として、タブレット端末３０の演算処理部３２は、センサユニット２０が検知した見守り対象者Ａの体表温度に関する情報を取得して体表温度を計算し（検知情報取得ステップ）、その体表温度が平衡状態に達したかどうかを判定する。当該判定結果が真（ＹＥＳ）である場合、ステップＳ２に進む。一方、当該判定結果が偽（ＮＯ）である場合、ステップＳ１を繰り返す。
【００６２】
ステップＳ２として、タブレット端末３０の演算処理部３２は、ステップＳ１において真（Ｙｅｓ）の判定時の見守り対象者Ａの体表温度を基準値Ｔｓとして設定する（基準値設定ステップ）。
【００６３】
ステップＳ３として、タブレット端末３０の演算処理部３２は、センサユニット２０により検知された最新の体表温度Ｔｎから基準値Ｔｓを引いた差分ΔＴについて（差分算出ステップ）、第１の閾値Ｔ１より大きいか否かを判定する（温度上昇判定）。当該判定結果が偽（ＮＯ）である場合、すなわち差分ΔＴが第１の閾値Ｔ１以上である場合は、ステップＳ４に進む。
【００６４】
ステップＳ４として、演算処理部３２は差分ΔＴが第２の閾値Ｔ２より小さいか否かを判定する（温度低下判定）。当該判定結果が真（ＹＥＳ）である場合、すなわち差分ΔＴが第２の閾値Ｔ２より小さい場合は、ステップＳ５に進む。
【００６５】
ステップＳ５として、演算処理部３２は、該当する見守り対象者Ａの体表温度の状態が維持傾向にあるとして右矢印（→）を表示部３３に表示させ（表示ステップ）、ステップＳ１１に進む。
【００６６】
一方、上記ステップＳ４の判定結果が偽（Ｎｏ）である場合、すなわち差分ΔＴが第２の閾値Ｔ２より小さい場合は、ステップＳ６に進む。
【００６７】
ステップＳ６として、演算処理部３２は、該当する見守り対象者Ａの体表温度の状態が低下傾向にあるとして表示部３３に下矢印（↓）を表示させ（表示ステップ）、ステップＳ１１に進む。
【００６８】
また、上記ステップＳ３の判定結果が真（Ｙｅｓ）である場合、すなわち差分ΔＴが第１の閾値Ｔ１より小さい場合は、ステップＳ７に進む。
【００６９】
ステップＳ７として、演算処理部３２は、タブレット端末３０は、該当する見守り対象者Ａの体表温度の状態が上昇傾向にあるとして表示部３３に上矢印（↑）を表示させて（表示ステップ）、ステップＳ８に進む。
【００７０】
ステップＳ８として、演算処理部３２は差分ΔＴについて第３の閾値Ｔ３より大きいか否かを判定する（異常温度判定）。当該判定結果が真（ＹＥＳ）である場合、すなわち差分ΔＴが第３の閾値Ｔ３より大きい場合は、ステップＳ９に進む。一方、当該判定結果が偽（ＮＯ）である場合、ステップＳ１１に進む。
【００７１】
ステップＳ１０では、演算処理部３２は表示部３３にアラート表示を表示させ、ステップＳ１０に進む。
【００７２】
ステップＳ１０として、演算処理部３２は、入力部３４にてアラート表示をリセットする操作を受けたか否かを判定する。当該判定結果が真（ＹＥＳ）である場合、すなわち見守り者Ｂからアラートをリセットする操作を受けた場合は、ステップＳ１１に進む。一方、当該判定結果が偽（ＮＯ）である場合、すなわちアラートをリセットする操作がない場合は、ステップＳ１０を繰り返す。
【００７３】
続くステップＳ１１として、演算処理部３２は、体表温度に基づく見守り対象者Ａのモニタリング終了条件が成立したか否かを判定する。このモニタリング終了条件としては、例えばセンサユニット２０又はタブレット端末３０の電源オフ、タブレット端末３０への基準値Ｔｓのリセット操作、等がある。当該判定結果が偽（Ｎｏ）である場合、すなわちモニタリング終了条件が成立していない場合は、ステップＳ３に戻り体表温度変化の判定を繰り返す。
【００７４】
一方、当該判定結果が真（Ｙｅｓ）である場合、すなわちセンサユニット２０又はタブレット端末３０の電源がオフとなったり、タブレット端末３０への基準値Ｔｓのリセット操作が行われたりした場合には、当該ルーチンを終了する。
【００７５】
このような体表温度のモニタリングルーチンが見守り対象者Ａごとに実行され、各見守り対象者Ａの体表温度の傾向がタブレット端末３０の表示部３３に随時表示される。
【００７６】
図４には見守り対象者モニタリング時のタブレット端末３０の表示部３３の表示例が、図５にはアラート時のタブレット端末３０の表示部３３の表示例がそれぞれ示されており、以下これらの図に基づき、本実施形態の動作例を説明する。
【００７７】
センサユニット２０は、電源がオンにされると内蔵された各種センサからの検知情報や電池残量情報等、センサユニット２０自体の状態情報の送信を開始する。このとき、タブレット端末３０はセンサユニット２０からの情報を受信して、センサユニット２０と接続されたことを確認する。センサユニット２０と見守り対象者Ａは一意に紐付けされているので、図４に示すように、見守り対象者Ａごとの状態が一覧表示される。
【００７８】
具体的には、図４では５名の見守り対象者Ａに関して、園児情報列５１、園児状態列５２、検温情報列５３が横並びに表示されている。
【００７９】
園児情報列５１には、見守り対象者Ａ１〜Ａ５の顔写真、所属クラス、名前、識別番号、センサユニット２０のバッテリ状態、現在の活動ステータスに関する各情報が表示されている。
【００８０】
園児状態列５２には、センサユニット２０からの検知情報に基づき演算処理部３２が算出した見守り対象者Ａ１〜Ａ５の現在の状態が表示されており、左から姿勢状態列５２ａ、ストレス状態列５２ｂ、心拍数列５２ｃ、体表温度傾向列５２ｄが表示されている。具体的には、姿勢状態列５２ａに、午睡中の見守り対象者Ａ２、Ａ４の姿勢（仰向け、うつ伏せ）が表示されている。ストレス状態列５２ｂには、ストレス度が高い見守り対象者Ａ５に対して「注意」が表示されている。心拍数列５２ｃには各見守り対象者Ａ１〜Ａ５の心拍数が表示されている。体表温度傾向列５２ｄには、図３の体表温度のモニタリングルーチンに従って、各見守り対象者Ａ１〜Ａ５の体表温度の傾向が矢印表示で表示されている。
【００８１】
検温情報列５３には、検温時間と検温結果である体温が表示されている。
【００８２】
また、表示部３３の画面上部には、アラート欄５４が表示されている。当該アラート欄５４には、園児状態列５２において異常状態にある見守り対象者Ａの情報が表示される。
【００８３】
さらに、特に体表温度について異常温度と判定された場合（上記ステップＳ８がＹＥＳ）には、図５に示すように、ポップアップで体表温度が異常に上昇している旨のアラートが表示される。このとき画面下部には、テキスト入力可能とする「メモ入力」、アラートを一時停止する「アラート一時停止」ボタン、アラート対象者の安全が確認できアラートをリセットする「安全確認」ボタン、緊急連絡先に連絡を行う「緊急連絡」ボタンがそれぞれ表示される。
【００８４】
また、演算処理部３２は、体表温度のモニタリングと同じように、姿勢のモニタリングにてうつ伏せ寝を検知した場合や、心拍数のモニタリングにて異常な心拍数を検知した場合には、ポップアップによるアラート表示が可能である。
【００８５】
タブレット端末３０とサーバ４０は、所定の時間間隔で通信を行い、センサユニット２０から取得した情報やタブレット端末３０の演算処理部３２における演算結果、通信ログ、アラートログ等をサーバ４０のデータベース４１に蓄積していく。
【００８６】
以上のように、見守りシステム１０では、センサユニット２０により見守り対象者Ａの体表温度に関する情報を検知し、タブレット端末３０において基準時点における体表温度を基準値Ｔｓとし、基準時点以降に検知された体表温度Ｔｎとの差分ΔＴを算出し、当該差分ΔＴに応じた表示を見守り対象者Ａの状態として表示部３３に表示させている。
【００８７】
このように見守り者Ｂによる作業が必要な体温計を用いた検温とは別に、見守り対象者Ａの衣服１３に装着可能なセンサユニット２０から体表温度を随時検知して、基準値との温度変化を表示することで、見守り者Ａは手間をかけることなく、容易に見守り対象者Ａの温度状態の変化を把握することができる。
【００８８】
特に体表温度を基準値Ｔｓの設定は、センサユニット２０が見守り対象者Ａの体表に近接して装着され、平衡状態となった時点の体表温度とすることで、見守り者Ｂが設定する手間をかけることなく、見守り対象者Ａの体表温度のモニタリングを開始することができる。また、センサユニット２０が見守り対象者Ａの体表に近接して装着された時点を基準として変化をモニタリングすることで、個人差、季節変動、環境変動、一日の体内時計による周期変動等の影響を受けにくく、見守り者Ｂへの不要な注意喚起を削減することができる。
【００８９】
また、基準値Ｔｓと体表温度Ｔｎとの差分ΔＴに応じた表示を、第１の閾値Ｔ１及び第２の閾値Ｔ２からなる所定の範囲に基づき切り替えることで、容易に体表温度の温度傾向を示すことができる。また、図４で示したようにこの差分ΔＴに応じた表示を矢印で表現していることで、見守り者Ｂは一目で容易に視認でき直観的に見守り対象者Ａの体表温度変化を把握することができる。
【００９０】
さらに、基準値Ｔｓと体表温度Ｔｎとの差分ΔＴが、第１の閾値Ｔ１よりも高い第３の閾値Ｔ３を上回った場合には、図５に示したように表示部３３にアラート表示を行うことで、適切に見守り対象者Ａの異常を見守り者Ｂに報知することができる。
【００９１】
また、体表温度だけでなく、センサユニット２０により見守り対象者Ａの姿勢や心拍数を検知して、図４に示したように、見守り対象者Ａの状態（園児状態）として姿勢や心拍数についても表示することで、見守り者Ｂは見守り対象者Ａの状態をより詳細に且つ容易に把握することができる。
【００９２】
さらに、見守り対象者Ａの姿勢状態がうつ伏せ寝状態となった場合にアラート表示を表示部３３に表示させ、うつぶせ寝状態から正常な姿勢に変更されたとき、アラート表示を解除し、姿勢が変更された旨の姿勢修正表示を表示部３３に表示することで、タブレット端末３０の操作を要さずに、見守り者Ｂは見守り対象者Ａのうつ伏せ寝を早期に解消して、うつ伏せ寝等による突然死（ＳＩＤＳ）を防ぐことができる。
【００９３】
また、見守り対象者Ａの心拍数状態が異常状態となった場合にアラート表示を表示部３３に表示させることで、見守り者Ｂは見守り対象者Ａの心拍異常を察知することができる。
【００９４】
さらに、センサユニット２０により検知した情報（体表温度、姿勢、心拍数）を、見守り対象者Ａの保護者等の関係者が保有する情報端末に配信することも可能とすることで、見守り者Ｂだけでなく見守り対象者Ａの関係者に見守り対象者Ａの情報を容易に共有することができる。
【００９５】
これらのことから本実施形態に係る見守りシステム１０によれば、個人差等の影響を受けにくく、容易に見守り者Ｂが見守り対象者Ａの状態変化を把握できる。
【００９６】
以上で本発明の実施形態の説明を終えるが、本発明の態様はこの実施形態に限定されるものではない。
【００９７】
例えば上記実施形態では、見守りシステム１０を保育園に適用しているが、本発明の適用対象は未就学児の保育園に限られない。例えば見守り対象者は乳幼児が学生等でもより、適用される組織は幼稚園、学校、病院等の他の施設にも適用可能である。
【符号の説明】
【００９８】
１０  見守りシステム
１３  衣服
２０  センサユニット（検知部）
２１  温度センサ
２２  加速度センサ
２３  心拍数計測センサ
２４  通信部
２５  記憶部
３０  タブレット端末（見守り装置）
３１  記憶部
３２  演算処理部
３３  表示部
３４  入力部
３５  通信部
３６  音声入出力部
４０  サーバ
４１  データベース
４２  演算処理部
４３  通信部
６０  プリンタ
Ａ、Ａ１〜Ａ５  見守り対象者
Ｂ  見守り者
【要約】
【課題】個人差等の影響を受けにくく、容易に見守り者が見守り対象者の状態変化を把握できる見守りシステム、見守り装置、見守り方法、見守りプログラムを提供すること。
【解決手段】見守りシステム１０は、見守り対象者Ａの体表に近接して装着され、当該見守り対象者の体表温度に関する情報を検知可能なセンサユニット２０と、見守り対象者Ａの状態を表示可能な表示部３３と、センサユニット２０により検知された体表温度に関する情報から所定の基準時点における体表温度を基準値Ｔｓとし、当該基準時点以降においてセンサユニット２０により検知された体表温度Ｔｎとの差分ΔＴを算出し、当該差分ΔＴに応じた表示を見守り対象者Ａの状態として表示部３３に表示させる演算処理部３２と、を備える。
【選択図】図２【図１】
0006820571.tif 000002
【図２】
0006820571.tif 000003
【図３】
0006820571.tif 000004
【図４】
0006820571.tif 000005
【図５】
0006820571.tif 000006